(57)【要約】【課題】  学校における健康診断に関する情報の管理を簡略化する健康診断情報管理システムの提供を課題とする。【解決手段】  健康診断情報管理システム１は、新入生登録カードＮＣに基づいて受診者の個人属性データＰＤを取得する新入生登録カード読取手段４、取得した個人属性データＰＤに含まれる個人情報ＰＩに対して管理番号データＣＮを付与する管理番号付与手段５、管理番号データＣＮおよび個人属性データＰＤを個人属性データベースＰＤＢに記憶する記憶手段６、クラス情報カードＣＣから第二クラス情報を読取るクラス情報カード読取手段７、記憶手段６に記憶されたクラス情報ＣＩを更新するクラス情報更新手段９を主に有する管理端末２を具備している。【選択図】        図１
2005063008.tif 000002
【特許請求の範囲】
【請求項１】
教育機関において実施される健康診断に係る健康診断情報を、管理端末を利用して管理する健康診断情報管理システムであって、
前記管理端末は、
前記健康診断を受ける受診者の氏名、性別および生年月日を含む個人情報、および前記受診者が所属する前記教育機関名、学年、組、出席番号に係るクラス情報を有する個人属性データを受付ける個人属性受付手段と、
前記個人属性データの個人情報に対して管理番号を付与する管理番号付与手段と、
前記管理番号を示す管理番号データと前記個人属性データを個人属性データベースに記憶する個人属性記憶手段と、
前記健康診断において実施される複数の検診項目を前記教育機関と関連付けた学校検診項目データを検診項目データベースに記憶する検診項目記憶手段と、
前記個人属性データおよび前記学校検診項目データに基づいて、前記組ごとに前記出席番号に従って整列された前記個人情報、および前記検診項目を示す健康診断用名簿を作成する名簿作成手段と、
前記管理番号、前記個人情報および前記クラス情報が表示され、次年度の組、出席番号を含む第二クラス情報を入力可能な入力部を有するクラス情報カードを作成し、発行するクラス情報カード発行手段と
を具備することを特徴とする健康診断情報管理システム。
【請求項２】
前記管理端末は、
前記第二クラス情報が入力された前記クラス情報カードに基づいて前記管理番号データ、および前記第二クラス情報を受付ける第二クラス情報受付手段と、
受付けた前記管理番号データを前記個人属性データベースと照合し、前記管理番号データに対応する前記個人属性データの前記クラス情報を更新するクラス情報更新手段と
をさらに具備することを特徴とする請求項１に記載の健康診断情報管理システム。
【請求項３】
前記管理端末は、
前記健康診断において実施された検診の結果を示す結果データを前記管理番号と関連付けて受付ける結果データ受付手段と、
受付けた前記結果データを前記検診結果データベースに記憶する結果データ記憶手段と、
前記個人属性データおよび前記結果データに基づいて、前記出席番号に従って整列された前記受診者の個人情報に対応させて前記検診の前記結果を示す健康診断票を作成する診断票作成手段と
をさらに具備することを特徴とする請求項１または請求項２に記載の健康診断情報管理システム。
【請求項４】
複数回数の前記健康診断の前記結果データを、前記管理番号データに関連付けて蓄積する結果データ蓄積手段をさらに具備することを特徴とする請求項１乃至請求項３のいずれか一つに記載の健康診断情報管理システム。
【請求項５】
前記第二クラス情報は、
前記教育機関名、および学年に係る情報をさらに含むことを特徴とする請求項１乃至請求項４のいずれか一つに記載の健康診断情報管理システム。
【請求項６】
教育機関において実施される健康診断に係る健康診断情報を、管理端末を利用して管理する健康診断情報管理システムにおいて、前記健康診断を受ける受診者の氏名、性別および生年月日を含む個人情報、および前記受診者が所属する前記教育機関名、学年、組、出席番号に係るクラス情報を有する個人属性データを受付ける個人属性受付手段、前記個人属性データの個人情報に対して管理番号を付与する管理番号付与手段、前記管理番号を示す管理番号データと前記個人属性データを個人属性データベースに記憶する個人属性記憶手段、前記健康診断において実施される複数の検診項目を前記教育機関と関連付けた学校検診項目データを検診項目データベースに記憶する検診項目記憶手段、前記個人属性データおよび前記学校検診項目データに基づいて、前記組ごとに前記出席番号に従って整列された前記個人情報、および前記検診項目を示す健康診断用名簿を作成する名簿作成手段、および前記管理番号、前記個人情報および前記クラス情報が表示され、次年度の組、出席番号を含む第二クラス情報を入力可能な入力部を有するクラス情報カードを作成し、発行するクラス情報カード発行手段として前記管理端末を機能させることを特徴とする健康診断情報管理プログラム。
【請求項７】
前記第二クラス情報が入力された前記クラス情報カードに基づいて前記管理番号データ、および前記第二クラス情報を受付ける第二クラス情報受付手段、および受付けた前記管理番号データを前記個人属性データベースと照合し、前記管理番号データに対応する前記個人属性データの前記クラス情報を更新するクラス情報更新手段として前記管理端末を機能させることを特徴とする請求項６に記載の健康診断情報管理プログラム。
【請求項８】
前記健康診断において実施された検診の結果を示す結果データを前記管理番号と関連付けて受付ける結果データ受付手段、受付けた前記結果データを前記検診結果データベースに記憶する結果データ記憶手段、および前記個人属性データおよび前記結果データに基づいて、前記出席番号に従って整列された前記受診者の個人情報に対応させて前記検診の前記結果を示す健康診断票を作成する診断票作成手段として前記管理端末を機能させることを特徴とする請求項６または請求項７に記載の健康診断情報管理プログラム。
【請求項９】
複数回数の前記健康診断の前記結果データを、前記管理番号データに関連付けて蓄積する結果データ蓄積手段として前記管理端末をさらに機能させることを特徴とする請求項６乃至請求項８のいずれか一つに記載の健康診断情報管理プログラム。
【発明の詳細な説明】
【技術分野】
【０００１】
本発明は、小学校等の教育機関における健康診断に係る情報を管理する健康診断情報管理システムおよび健康診断情報管理プログラムに関するものである。
【背景技術】
【０００２】
小学校、中学校、および高校において、学校保健法に規定された保健管理、および学校行事として学年毎に定期健康診断が実施される。この定期健康診断は、児童および生徒の健康の保持増進を図り、学校教育の円滑な実施とその成果を確保するうえで、重要な意義、役割をもっている。そして、定期健康診断は、学校保健法施行規則により、毎学年、始業式以降六月三十日までに行うものとされている。さらに、定期健康診断を行ったときは、健康診断票を作成しなければならない。また、児童および生徒が進学したり転学した場合は、進学先または転学先の校長に健康診断票を送付しなければならない。そして、健康診断票は五年間保存することと規定されている。
【０００３】
ここで、学校における定期健康診断を実施する際、学校は地域の健康管理センター等の保健関係機関に依頼することが多い。そして、学校側は、学年始めの始業式以降に、クラス毎に各生徒の生年月日が記載されたクラス名簿を作成し、依頼先の保健関係機関に提出する。保健関係機関は、提出されたクラス名簿に基づいて、依頼元の学校の生徒に関する情報（氏名、生年月日、性別、学年、クラス、出席番号等）を電子計算機等に入力し、管理している。
【０００４】
以上の従来技術は、公然に実施されているものであり、出願人は、この従来技術が記載された文献を、本願出願時においては知見していない。
【発明の開示】
【発明が解決しようとする課題】
【０００５】
上述のとおり、学校における定期健康診断は、四月から六月の間に実施しなければならず、学校の教師にとっては、新年度の行事等と重なり、名簿の作成等の準備にかかる作業が負担になっていた。また、保健関係機関においては、クラス名簿が始業式以降でないと配布、公開されないため、健康診断用の名簿およびラベル等の準備、さらに検診結果の報告書作成を短期間でしなければならなかった。
【０００６】
そのため、定期健康診断に関する作業が一定の期間に集中し、学校および保健関係機関の両方に負担がかかっており、定期健康診断にかかる情報の管理を簡略化することを望む声があった。
【０００７】
そこで、本発明は、上記実情に鑑み、学校における健康診断に関する情報の管理を簡略化する健康診断情報管理システムおよび健康診断情報管理プログラムを提供することを課題とする。
【課題を解決するための手段】
【０００８】
本発明に係る健康診断情報管理システムは、「教育機関において実施される健康診断に係る健康診断情報を、管理端末を利用して管理する健康診断情報管理システムであって、前記管理端末は、前記健康診断を受ける受診者の氏名、性別および生年月日を含む個人情報、および前記受診者が所属する前記教育機関名、学年、組、出席番号に係るクラス情報を有する個人属性データを受付ける個人属性受付手段と、前記個人属性データの個人情報に対して管理番号を付与する管理番号付与手段と、前記管理番号を示す管理番号データと前記個人属性データを個人属性データベースに記憶する個人属性記憶手段と、前記健康診断において実施される複数の検診項目を前記教育機関と関連付けた学校検診項目データを検診項目データベースに記憶する検診項目記憶手段と、前記個人属性データおよび前記学校検診項目データに基づいて、前記組ごとに前記出席番号に従って整列された前記個人情報、および前記検診項目を示す健康診断用名簿を作成する名簿作成手段と、前記管理番号、前記個人情報および前記クラス情報が表示され、次年度の組、出席番号を含む第二クラス情報を入力可能な入力部を有するクラス情報カードを作成し、発行するクラス情報カード発行手段とを具備すること」を、上述の課題を解決するための主要な手段とする。
【０００９】
ここで、教育機関とは、保育園、幼稚園、小学校、中学校、高校、および大学等の学校保健法において健康診断が義務付けられている学校が例示され、受診者とは、教育機関に所属する生徒および職員等が例示される。なお、教育機関、組、性別、および検診項目等は、コード等で管理するものであってもよい。また、出席番号とは、クラス毎に、名字の五十音順等で各生徒に割当てられた番号である。そして、検診項目とは学校保健法に基づいて学校毎に規定された項目であり、身長、体重、座高、視力、色覚、聴力、腎臓の疾病や糖尿病を発見する尿検査、および寄生虫卵検査等が例示される。
【００１０】
また、管理端末はパソコンが例示される。そして、個人属性受付手段、および第二クラス情報受付手段は、光学式文字読取装置（いわゆる、ＯＣＲ）を利用して読取るもの、キーボード等を利用して入力するもの等が例示される。
【００１１】
したがって、本発明の健康診断情報管理システムによれば、学年および組に関わらず、各生徒に対して個別の管理番号が付与され、管理番号データと共に個人属性データが個人属性データベースに記憶されている。そのため、管理番号に基づいて、各生徒の個人情報を呼び出すことが可能である。また、教育機関データに関連付けて検診項目データが記憶され、記憶された個人属性データと共に健康診断用名簿が作成される。そのため、教育機関の職員は、忙しい時期に生年月日等が表示された健康診断用の名簿を改めて作成する手間を省略することが可能となる。また、保健関係機関は、学校が作成した健康診断用の名簿に基づいて、各生徒の生年月日等の個人属性を個人属性データベースに記憶したり、新たに健康診断用名簿を作成する手間を省略することが可能となる。
【００１２】
さらに、クラス情報カードを作成し、発行するクラス情報カード発行手段を有する。ここで、クラス情報カードは、個人属性データベースに記憶された管理番号、個人情報およびクラス情報が表示されているため、各生徒が自分のクラス情報カードであることを確認することが可能となる。例えば、新二年生の生徒のクラス情報カードの場合、各生徒の管理番号、個人情報、および一年生の時のクラス情報が表示されている。そして、各生徒によって入力部に二年生のクラス情報（第二クラス情報）が手書き等によって入力されたクラス情報カードを回収し、ＯＣＲ等を利用して読取ることにより、管理番号に対応する第二クラス情報を取得することが可能となる。
【００１３】
また、上記健康診断情報管理システムを、「前記管理端末は、前記第二クラス情報が入力された前記クラス情報カードに基づいて前記管理番号データ、および前記第二クラス情報を受付ける第二クラス情報受付手段と、受付けた前記管理番号データを前記個人属性データベースと照合し、前記管理番号データに対応する前記個人属性データの前記クラス情報を更新するクラス情報更新手段とをさらに具備する」ものとしてもよい。
【００１４】
ここで、第二クラス情報受付手段は、個人属性受付手段と同様、ＯＣＲを利用して読取るもの、キーボード等を利用して入力するもの等が例示される。
【００１５】
したがって、本発明の健康診断情報管理システムによれば、クラス情報カードに基づいて、個人属性データベースに記憶されたクラス情報が更新される。そのため、健康診断用名簿を作成する際にその都度、生徒の氏名、性別および生年月日という不変の個人情報を入力する手間を省略することができ、教師および保健関係機関が健康診断用の名簿を作成する際の負担を軽減することができる。
【００１６】
また、上記健康診断情報管理システムを、「前記管理端末は、前記健康診断において実施された検診の結果を示す結果データを前記管理番号と関連付けて受付ける結果データ受付手段と、受付けた前記結果データを前記検診結果データベースに記憶する結果データ記憶手段と、前記個人属性データおよび前記結果データに基づいて、前記出席番号に従って整列された前記受診者の個人情報に対応させて前記検診の前記結果を示す健康診断票を作成する診断票作成手段とをさらに具備する」ものとしてもよい。
【００１７】
したがって、本発明の健康診断情報管理システムによれば、検診の結果を示す結果データを受付け、管理番号データに関連付けて検診結果データベースに記憶する。そして、出席番号に従って整列された受診者の氏名等に対応して検診結果を示す健康診断票を作成することが可能となる。そのため、健康診断票を容易に作成することができる。
【００１８】
また、上記健康診断情報管理システムを、「複数回数の前記健康診断の前記結果データを、前記管理番号データに関連付けて蓄積する結果データ蓄積手段をさらに具備する」ものとしてもよい。
【００１９】
したがって、本発明の健康診断情報管理システムによれば、各生徒の結果データが管理番号データに関連付けて蓄積されているため、前年度の検診結果と共に表示したり、過去数年分のデータをまとめて表示すること等が可能である。そのため、過去のデータとの比較等が容易になり、その結果に基づいて疾病の予防処置および治療等の適切な処置を行うことができる。
【００２０】
また、上記健康診断情報管理システムを、「前記第二クラス情報は、前記教育機関名、および学年に係る情報をさらに含む」ものとしてもよい。
【００２１】
したがって、本発明の健康診断情報管理システムによれば、第二クラス情報はさらに教育機関名、および学年に係る情報を含む。そのため、小学校から中学校への進学、中学校から高校への進学、さらに転校および転勤等により、受診者が所属する教育機関が変わった場合でも、第二クラス情報を取得することにより、所属する教育機関および学年を知ることが可能となる。
【００２２】
ここで、通常、小学校および中学校の教員は、生徒が進学する中学校および高校を把握している。そのため、クラス情報カードを中学校および高校ごとに分類することが可能である。例えば、分類されたクラス情報カードを保健関係機関が回収し、進学先の中学校または高校に引き渡す。そして、引き渡された教育機関において、各生徒に第二クラス情報を入力させた後、保健関係機関が回収することにより、所属する教育機関が変わった場合も、所属する教育機関および学年を得ることができ、教育機関名、学年、組、および番号が更新される。
【００２３】
本発明に係る健康診断情報管理プログラムは、「教育機関において実施される健康診断に係る健康診断情報を、管理端末を利用して管理する健康診断情報管理システムにおいて、前記健康診断を受ける受診者の氏名、性別および生年月日を含む個人情報、および前記受診者が所属する前記教育機関名、学年、組、出席番号に係るクラス情報を有する個人属性データを受付ける個人属性受付手段、前記個人属性データの個人情報に対して管理番号を付与する管理番号付与手段、前記管理番号を示す管理番号データと前記個人属性データを個人属性データベースに記憶する個人属性記憶手段、前記健康診断において実施される複数の検診項目を前記教育機関と関連付けた学校検診項目データを検診項目データベースに記憶する検診項目記憶手段、前記個人属性データおよび前記学校検診項目データに基づいて、前記組ごとに前記出席番号に従って整列された前記個人情報、および前記検診項目を示す健康診断用名簿を作成する名簿作成手段、および前記管理番号、前記個人情報および前記クラス情報が表示され、次年度の組、出席番号を含む第二クラス情報を入力可能な入力部を有するクラス情報カードを作成し、発行するクラス情報カード発行手段として前記管理端末を機能させること」を、上述の課題を解決するための主要な手段とする。
【００２４】
また、上記健康診断情報管理プログラムを、「前記第二クラス情報が入力された前記クラス情報カードに基づいて前記管理番号データ、および前記第二クラス情報を受付ける第二クラス情報受付手段、および受付けた前記管理番号データを前記個人属性データベースと照合し、前記管理番号データに対応する前記個人属性データの前記クラス情報を更新するクラス情報更新手段として前記管理端末を機能させる」ものとしてもよい。
【００２５】
さらに、上記健康診断情報管理プログラムを、「前記健康診断において実施された検診の結果を示す結果データを前記管理番号と関連付けて受付ける結果データ受付手段、受付けた前記結果データを前記検診結果データベースに記憶する結果データ記憶手段、および前記個人属性データおよび前記結果データに基づいて、前記出席番号に従って整列された前記受診者の個人情報に対応させて前記検診の前記結果を示す健康診断票を作成する診断票作成手段として前記管理端末を機能させる」ものとしてもよい。
【００２６】
加えて、上記健康診断情報管理プログラムを、「複数回数の前記健康診断の前記結果データを、前記管理番号データに関連付けて蓄積する結果データ蓄積手段として前記管理端末をさらに機能させる」ものとしてもよい。
【００２７】
上記に示した健康診断情報管理プログラムを実行することにより、管理端末に、前述した健康診断情報管理システムの作用を奏させることができる。
【発明の効果】
【００２８】
本発明の効果として、学校において健康診断を実施する前に健康診断用の名簿等を作成する際に、各生徒に対して個別の管理番号を付与することにより、氏名、性別および生年月日等の不変の個人情報を入力する手間を省略することが可能となる。これにより、学校および保健関係機関双方の健康診断の準備に係る負担を軽減できる。
【発明を実施するための最良の形態】
【００２９】
以下、本発明の一実施形態である健康診断情報管理システム１について、図１乃至図５に基づいて詳しく説明する。ここで、図１は本実施形態の健康診断情報管理システム１における管理端末の機能的構成を主に示す説明図であり、図２は新入生登録カードＮＣの構成を示す説明図であり、図３はクラス情報カードＣＣの構成を示す説明図であり、図４および図５は管理端末における処理の流れを示すフローチャートである。
【００３０】
本実施形態の健康診断情報管理システム１では、小学校における定期健康診断の実施を依頼された健康管理センターが用いる管理端末２を利用して、小学校の定期健康診断に係る情報を管理するものを例示する。ここで、管理端末２は、手書きの文字をスキャンニングしてできた画像データをテキストデータに変換する光学式文字認識機能（いわゆる、ＯＣＲ）を備えるものであり、スキャナＳが接続されている。
【００３１】
まず、管理端末２について図１に基づいて詳細に説明する。管理端末２は、その機能的構成として、新入生登録カードＮＣまたはクラス情報カードＣＣをスキャナＳによってスキャンニングして得られた画像データに基づいてカードの種類を判断するカード種類読取手段３、読込まれた新入生登録カードＮＣに含まれる文字をテキストデータに変換し、受診者の個人属性データＰＤを取得する新入生登録カード読取手段４、取得した個人属性データＰＤに含まれる個人情報ＰＩに対して管理番号データＣＮを付与する管理番号付与手段５、取得した個人属性データＰＤと管理番号データＣＮを個人属性データベースＰＤＢに記憶する記憶手段６を有している。また、個人属性データＰＤは、受診者の氏名、性別および生年月日に係る個人情報ＰＩ、受診者が所属する学校名、学年、組、出席番号に係るクラス情報ＣＩが含まれている。ここで、ＯＣＲによる読取の精度を向上させるために、性別および学校名は予めコード化し、コードを利用して管理されている。
【００３２】
また、管理端末２は、ＯＣＲを利用してクラス情報カードＣＣに表示された管理番号データＣＮ、およびクラス情報ＣＩを取得するクラス情報カード読取手段７、クラス情報カードＣＣより読取った管理番号データＣＮを個人属性データベースＰＤＢに照合し、管理番号データＣＮの有無を判断する管理番号照合手段８、読取った管理番号データＣＮに合致する管理番号データＣＮが個人属性データベースＰＤＢにある場合に対応するクラス情報ＣＩを更新するクラス情報更新手段９を有している。
【００３３】
さらに、記憶手段６には、学校コードＳＣに対応させて複数の検診項目データＥＩが検診項目データベースＩＤＢに記憶されている。ここで、学校コードＳＣは学校を識別するために学校ごとに割り当てられているコード、検診項目データＥＩとは、定期健康診断において実施される検診項目を示すデータであり、検診項目は、身長、体重、座高、視力、色覚、聴力、および腎臓の疾病や糖尿病を発見する尿検査、寄生虫卵検査等が例示される。なお、検診項目は、学校保健法において、実施が義務付けられているものと、任意のものがあるため、学校ごとに検診項目が異なる。すなわち、学校コードＳＣに対応させて記憶されている検診項目データＥＩは、学校コードＳＣごとに種類および数が異なっている。
【００３４】
そして、個人属性データＰＤおよび検診項目データＥＩに基づいて、組ごとに出席番号に従って整列された個人情報ＰＩと検診項目を示す健康診断用名簿（以下、健診名簿と称する。）を作成する健診名簿作成手段１０、作成された健診名簿の送出を制御する健診名簿送出制御手段１１、健診名簿を送出する送出手段１２を有している。ここで、送出手段１２にはプリンターが利用されている。
【００３５】
また、学校において実施された定期健康診断の複数の健診項目の結果を受診者ごとにまとめた結果データＤＤを管理番号データＣＮに関連付けて受付ける結果データ受付手段１３、受付けた結果データＤＤを検診結果データベースＤＤＢに記憶する検診結果記憶手段、個人属性データベースＰＤＢ、検診項目データベースＩＤＢ、検診結果データベースＤＤＢに基づいて診断票を作成する診断票作成手段１４、作成された診断票の送出を制御する診断票送出制御手段１５を有している。ここで、検診結果記憶手段は、複数回数の検診結果に係る結果データＤＤを管理番号データＣＮに関連付けて蓄積することが可能である。なお、診断票とは、例えば、組ごとに作成され、出席番号順に整列された個人情報ＰＩに対応させて各検診項目の結果が記載されているものである。また、診断票送出制御手段１５によって診断票の様式を変更することが可能であり、受診者ごとに結果が表示されるものも送出可能である。
【００３６】
加えて、個人属性データベースＰＤＢに記憶された個人属性データＰＤに基づいて管理番号および個人属性データＰＤが表示され、次年度の学校コード、学年、組、番号を記入可能に枠線が形成された記入部ＥＳを有するクラス情報カードＣＣを作成するクラス情報カード作成手段１６、クラス情報カードＣＣの送出を制御するクラス情報カード送出制御手段１７を有している。また、作成された健診名簿、診断票、クラス情報カードＣＣを表示する表示手段１８を有している。ここで、表示手段１８はモニタディスプレイが利用されている。なお、記憶手段６が本発明の個人属性記憶手段、検診項目記憶手段、検診結果記憶手段に相当する。
【００３７】
次に、本実施形態の健康診断情報管理システム１で利用する新入生登録カードＮＣおよびクラス情報カードＣＣの一例を図２および図３に基づいて説明する。図２に示すように、新入生登録カードＮＣは、学校名、学年、組、番号、および性別が予め表示され、氏名および生年月日を記入するための枠線が設けられている。そして、右肩にはカードを識別するための識別番号ＩＮとして「１」の数字が表示されている。
【００３８】
また、図３に示すように、二年生用のクラス情報カードＣＣは、新入生登録カードＮＣから読取った個人情報ＰＩに対して付与された管理番号、学校名、および一年生の時の学年、組、番号、さらに性別、氏名、生年月日が表示されている。また、右肩にはカードを識別するための識別番号ＩＮとして「２」の数字が表示されている。そして、二年生の学校名（学校コードＳＣ）、学年、組、および番号（第二クラス情報ＳＣＩ）を記入するための記入部ＥＳが設けられている。なお、図３は第二クラス情報が記入された状態を示している。また、図３において、二年生の生徒に配布するクラス情報カードＣＣを示したが、三年生の生徒に配布するクラス情報カードＣＣには、二年生の時のクラス情報ＣＩが表示されており、同様に四年生〜六年生の場合も前年度のクラス情報ＣＩが表示されている。また、中学校一年生の生徒に配布するクラス情報カードＣＣには、小学校六年生の時の個人情報ＰＩおよびクラス情報ＣＩが表示されている。このとき、学校コードおよび学年も記入するようになっているため、小学校から中学校に進学した場合も、クラス情報カードＣＣを利用することができる。
【００３９】
次に、本実施形態の健康診断情報管理システム１における管理端末２の処理の流れについて図４および図５に基づいて説明する。ここで、ステップＳ１乃至ステップＳ１９が本発明の健康診断情報管理プログラムに相当する。ここで、ある小学校の定期健康診断を依頼されている健康管理センターにおいて、新入生登録カードＮＣおよびクラス情報カードＣＣを作成し、小学校に配布し、児童に所定の項目を記載させた後、回収するものを例示する。
【００４０】
まず、新入生登録カードＮＣまたはクラス情報カードＣＣをスキャナＳで読込んだ画像データに基づいてカードの種類を読取る（ステップＳ１）。ここで、新入生登録カードＮＣの右肩にはカードを識別する識別番号ＩＮとして「１」の数字が記載され、クラス情報カードＣＣの右肩には「２」の数字が記載されている。そして、読取った識別番号ＩＮが「１」の場合、「Ｆ＝１」とし、一方、「２」の場合、「Ｆ＝２」とする。続いてＦの値を検出し、「Ｆ＝１」の場合（ステップＳ２においてＹＥＳ）、新入生登録カードＮＣの個人情報ＰＩおよびクラス情報ＣＩをＯＣＲを利用して取得し（ステップＳ３）、各受信者の個人情報ＰＩに対して管理番号を付与し（ステップＳ４）、管理番号データＣＮと個人属性データＰＤを個人属性データベースＰＤＢに記憶する（ステップＳ５）。
【００４１】
一方、「Ｆ＝２」の場合（ステップＳ２においてＮＯ）、クラス情報カードＣＣをＯＣＲを利用して読取り（ステップＳ６）、読取った管理番号データＣＮを個人属性データベースＰＤＢに照合し（ステップＳ７）、読取った管理番号データＣＮと合致する管理番号データＣＮがある場合（ステップＳ８においてＹＥＳ）、クラス情報カードＣＣから読取られた第二クラス情報ＳＣＩに基づいて個人属性データベースＰＤＢのクラス情報ＣＩを更新する（ステップＳ９）。ここで、読取った管理番号データＣＮと合致する管理番号データＣＮがない場合（ステップＳ８においてＮＯ）、ステップＳ４の処理に移行する。
【００４２】
続いて、健診名簿の作成指示の有無を検出し（ステップＳ１０）、健診名簿の作成指示がある場合（ステップＳ１０においてＹＥＳ）、健診名簿を作成し、印刷する（ステップＳ１１）。一方、作成指示のない場合（ステップＳ１０においてＮＯ）、ステップＳ１２の処理に移行する。その後、結果データＤＤの受付指示の有無を検出し（ステップＳ１２）、受付指示のある場合（ステップＳ１２においてＹＥＳ）、管理番号データに関連付けられた結果データＤＤを受付け、記憶する（ステップＳ１３）。一方、受付指示のない場合（ステップＳ１２においてＮＯ）、ステップＳ１６の処理に移行する。そして、診断票作成指示の有無を検出し、作成指示がある場合（ステップＳ１４においてＹＥＳ）、診断票を作成し、印刷する（ステップＳ１５）。一方、診断票作成指示がない場合（ステップＳ１４においてＮＯ）、ステップＳ１６の処理に移行する。
【００４３】
その後、クラス情報カードＣＣの作成指示の有無を検出する（ステップＳ１６）。作成指示がある場合（ステップＳ１６においてＹＥＳ）、クラス情報カードＣＣを作成し、発行する（ステップＳ１７）。一方、作成指示がない場合（ステップＳ１６においてＮＯ）、ステップＳ１８の処理に移行する。そして、システム終了の指示の有無を検出し（ステップＳ１８）、指示がある場合（ステップＳ１８においてＹＥＳ）、システムを終了し、指示がない場合（ステップＳ１８においてＮＯ）、ステップＳ１の処理に戻る。
【００４４】
なお、本実施形態においてカード（新入生登録カードＮＣまたはクラス情報カードＣＣ）の読込み、健診名簿の作成、診断票の作成、およびクラス情報カードＣＣの作成の処理を一連の流れで行うプログラムを示したが、それぞれの処理を独立して実施するプログラムとしてもよい。例えば、最初にカードの読込み、健診名簿の作成、診断票の作成、およびクラス情報カードＣＣの作成の処理のいずれかを選択する指示を受付け、その指示に従って、それぞれの処理を実施することも可能である。
【００４５】
次に、本実施形態の健康診断情報管理システム１を利用して小学校１年生の生徒の健康診断情報を管理する例を図１乃至図５に基づいて説明する。まず、健康管理センターが新入生登録カードＮＣの学校名に基づいて、対応する学校に新入生登録カードＮＣを配布する。学校の一年生担当の教師は、新入生登録カードＮＣを番号および性別に基づいて各生徒に配布し、氏名および生年月日を記入させた後、回収する。そして、クラスごとに回収した新入生登録カードＮＣをまとめ、健康管理センターに引き渡す。そして、健康管理センターにおいて健康診断情報管理システム１を利用して新入生登録カードＮＣを読取り、読取った個人情報ＰＩに対して管理番号を付与し、個人属性データベースＰＤＢに記憶する。ここで、各生徒によって記入された氏名および生年月日、予め表示された性別を読取ったものが個人情報ＰＩに、予め表示された学校名、学年、組、番号を読取ったものがクラス情報ＣＩとなる。
【００４６】
その後、健康管理センターにおいて、健康診断情報管理システム１を利用して健診名簿を作成し、小学校で実施された健康診断の結果を前記の健診名簿に記入する。そして、健康管理センターにおいて、健診名簿に基づいて健診結果を管理端末２に入力し、健康診断情報管理システム１を利用して、受付けた結果データＤＤを示す診断票を作成し、診断票を小学校に提出する。
【００４７】
翌年の定期健康診断が実施される前に、健康管理センターは健康診断情報管理システム１を利用して前述した個人属性データベースＰＤＢに基づいてクラス情報カードＣＣを作成し、小学校に配布する。そして、健康管理センターからクラス情報カードＣＣを受取った小学校の教師は、表示された情報に基づいて、二年生の組毎にクラス情報カードＣＣを分別し、各組で各生徒に配布し、学校コード、学年、組、および番号を記入させた後、回収する。クラスごとに回収したクラス情報カードＣＣをまとめ、健康管理センターに引き渡す。そして、健康管理センターにおいて、健康診断情報管理システム１を利用してクラス情報カードＣＣを読取り、管理番号データＣＮに基づいて個人属性データベースＰＤＢに記憶されたクラス情報ＣＩを更新する。その後、三年生、四年生・・・・と同様の処理を続けることにより、クラス情報ＣＩが更新され、個人情報ＰＩを変更することなく、利用することができる。
【００４８】
以上、詳細に示したように、本発明の健康診断情報管理システム１によれば、新入生登録カードＮＣに基づいて、各生徒の個人情報ＰＩに対して管理番号データＣＮを付与することができる。そのため、各生徒の情報を学校、学年、組、および番号等によらず、管理番号によって管理することができる。したがって、進級、進学、および転校等をした場合も、管理番号を利用して個人情報を参照することができる。また、学校コードＳＣに関連付けて検診項目データＥＩが記憶され、記憶された個人属性データＰＤと共に健康診断用名簿が作成される。そのため、学校の教員は、忙しい時期に生年月日等が表示された健康診断用の名簿を改めて作成する手間を省略することが可能となる。また、健康管理センターは、学校が作成した健康診断用の名簿に基づいて、各生徒の生年月日等の個人情報ＰＩを個人属性データベースＰＤＢに記憶したり、新たに健康診断用名簿を作成する手間を省略することができる。
【００４９】
また、生徒および職員等の受診者が、進級、進学、転校、および転勤した場合に、クラス情報カードＣＣを利用して、管理番号データＣＮに基づいてクラス情報ＣＩを更新することができる。そのため、健康診断用名簿を作成する際にその都度、生徒の氏名、性別および生年月日という不変の個人情報ＰＩを入力する手間を省略することができ、教師および健康管理センターが健康診断用の名簿を作成する際の負担を軽減することができる。
【００５０】
さらに、結果データＤＤが管理番号データＣＮに対応して蓄積されるため、各生徒ごとに、過去数年分の検診結果をまとめて表示する診断票を作成することも可能である。そのため、過去のデータとの比較等が容易になり、その結果に基づいて疾病の予防処置および治療等の適切な処置を行うことができる。なお、健診名簿作成手段１０、クラス情報カード作成手段１６、および診断票作成手段１４において作成したものは、表示手段１８によって表示され、自分の目で確認することができる。
【００５１】
以上、本発明について好適な実施形態を挙げて説明したが、本発明はこれらの実施形態に限定されるものではなく、以下に示すように、本発明の要旨を逸脱しない範囲において種々の改良および設計の変更が可能である。
【００５２】
すなわち、本実施形態において、個人属性データＰＤを受付ける個人属性受付手段として、ＯＣＲを利用して新入生登録カードＮＣから個人属性データＰＤを読取る手段を示したが、これに限定されるものではなく、例えば、新入生登録カードＮＣに基づいて、キーボード等の操作手段を利用した入力を受付けるものであってもよい。これにより、スキャナやＯＣＲのソフトを導入する必要がなくなる。
【００５３】
また、尿検査等の検診に必要な検体を入れる検体ラベルを作成する検体ラベル作成手段を有するものであってもよい。ここで、検体ラベルには学校名、学年、組、性別、番号、氏名、識別番号、検診項目が表示される。これにより、個人属性データベースＰＤＢに記憶された個人属性データＰＤを利用して容易に検体ラベルを作成することができる。
【００５４】
さらに、新入生登録カードＮＣを読取って取得したひらがなの氏名を漢字に変換し、個人情報ＰＩとして個人属性データベースに記憶する漢字変換手段をさらに具備するものであってもよい。例えば、小学校二年生から三年生に進級する間に、氏名を漢字に変換することができる。そして、氏名を漢字で表示したクラス情報カードＣＣを生徒に配布することにより、生徒は自分のクラス情報カードＣＣを漢字の氏名で確認し、同音の氏名（例えば、「本田（ほんだ）」と「本多（ほんだ）」等）によるカードの配布間違い等を低減することができる。なお、氏名の箇所に漢字とひらがな（カタカナ）を併記するものであってもよい。
【図面の簡単な説明】
【００５５】
【図１】本実施形態の健康診断情報管理システムにおける管理端末の機能的構成を主に示す説明図である。
【図２】新入生登録カードの構成を示す説明図である。
【図３】クラス情報カードの構成を示す説明図である。
【図４】管理端末における処理の流れを示すフローチャートである。
【図５】管理端末における処理の流れを示すフローチャートである。
【符号の説明】
【００５６】
１  健康診断情報管理システム
２  管理端末
４  新入生登録カード読取手段（個人属性受付手段）
５  管理番号付与手段
６  記憶手段（個人属性記憶手段、検診項目記憶手段、結果データ記憶手段）
７  クラス情報カード読取手段（個人属性受付手段、第二クラス情報受付手段）
９  クラス情報更新手段
１０  健診名簿作成手段（名簿作成手段）
１３  結果データ受付手段
１４  診断票作成手段
１６  クラス情報カード作成手段（クラス情報カード発行手段）
１７  クラス情報カード送出制御手段（クラス情報カード発行手段）
ＣＣ  クラス情報カード
ＣＩ  クラス情報
ＣＮ  管理番号データ
ＤＤ  結果データ
ＤＤＢ  検診結果データベース
ＥＩ  検診項目データ
ＥＳ  記入部（入力部）
ＩＤＢ  検診項目データベース
ＰＤ  個人属性データ
ＰＤＢ  個人属性データベース
ＰＩ  個人情報
ＳＣＩ  第二クラス情報（クラス情報）
【図１】
2005063008.tif 000003
【図２】
2005063008.tif 000004
【図３】
2005063008.tif 000005
【図４】
2005063008.tif 000006
【図５】
2005063008.tif 000007